【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
電子デバイスであって、
タッチスクリーンディスプレイと、
生体センサが組み込まれているボタンと、
１または複数のプロセッサと、
メモリと、
前記メモリに格納されている１または複数のプログラムとを備え、
前記１または複数のプロセッサは前記１または複数のプログラムを実行し、
前記タッチスクリーンディスプレイ上にロック画面を表示し、
前記生体センサが組み込まれている前記ボタンを用いたユーザからの入力を受け取り、
前記生体センサを用いて前記入力が受け取られると、前記ユーザの識別情報を検出し、
前記ボタンに組み込まれている前記生体センサを用いて検出された前記識別情報に基づいて前記ユーザを認証し、
前記ボタンに組み込まれている前記生体センサを用いて検出された前記識別情報に基づく前記ユーザの認証に応じて、前記タッチスクリーンディスプレイ上における前記ロック画面の表示をアンロックユーザインタフェースの表示に切り替える、電子デバイス。
【請求項２】
請求項１に記載の電子デバイスにおいて、前記アンロックユーザインタフェースは、異なるアプリケーションを起動するための複数のアプリケーションアイコンを含むアプリケーションラウンチユーザインタフェースである、電子デバイス。
【請求項３】
請求項１に記載の電子デバイスであって、前記１または複数のプロセッサは更に、前記ロック画面の表示をアンロックユーザインタフェースの表示に切り替えた後、
不鮮明な第１の情報を含む個別のユーザインタフェースを前記タッチスクリーンディスプレイ上に表示し、
前記不鮮明な第１の情報を前記タッチスクリーンディスプレイ上に表示している間に、前記生体センサ上に指入力を検出し、
前記生体センサ上に前記指入力を検出すると、
前記指入力が認証ユーザの指紋に一致する指紋を含むとの判断に応じて、前記不鮮明な前記第１の情報の表示を鮮明な前記第１の情報の表示に置き換え、
前記指入力が認証ユーザの指紋に一致する指紋を含まないとの判断に応じて、前記不鮮明な前記第１の情報の表示を維持する、電子デバイス。
【請求項４】
請求項１に記載の電子デバイスであって、前記生体センサは、前記ユーザの指が前記生体センサ上に置かれると、前記ユーザの指の特徴を検出する二次元指紋センサを含む、電子デバイス。
【請求項５】
請求項１に記載の電子デバイスであって、前記１または複数のプロセッサは更に、前記認証に応じて、前記ユーザに対して制限された電子デバイスリソースへのアクセスを提供する、電子デバイス。
【請求項６】
請求項１に記載の電子デバイスであって、前記１または複数のプロセッサは更に、前記ユーザの認証に応じて、前記ユーザに対して前記ユーザに関連付けられているリソースへのアクセスを提供する個別の表示を提供する、電子デバイス。
【請求項７】
請求項１に記載の電子デバイスであって、前記入力の受け取りは、前記電子デバイスをアンロックするための入力の受け取りを含む、電子デバイス。
【請求項８】
タッチスクリーンディスプレイと、生体センサが組み込まれているボタンとを備える電子デバイスにおいて、
前記タッチスクリーンディスプレイ上にロック画面を表示し、
前記生体センサが組み込まれている前記ボタンを用いたユーザからの入力を受け取り、
前記生体センサを用いて前記入力が受け取られると、前記ユーザの識別情報を検出し、
前記ボタンに組み込まれている前記生体センサを用いて検出された前記識別情報に基づいて前記ユーザを認証し、
前記ボタンに組み込まれている前記生体センサを用いて検出された前記識別情報に基づく前記ユーザの認証に応じて、前記タッチスクリーンディスプレイ上における前記ロック画面の表示をアンロックユーザインタフェースの表示に切り替えることを備える、方法。
【請求項９】
請求項８に記載の方法において、前記アンロックユーザインタフェースは、異なるアプリケーションを起動するための複数のアプリケーションアイコンを含むアプリケーションラウンチユーザインタフェースである、方法。
【請求項１０】
請求項８に記載の方法はさらに、前記ロック画面の表示をアンロックユーザインタフェースの表示に切り替えた後、
不鮮明な第１の情報を含む個別のユーザインタフェースを前記タッチスクリーンディスプレイ上に表示し、
前記不鮮明な第１の情報を前記タッチスクリーンディスプレイ上に表示している間に、前記生体センサ上に指入力を検出し、
前記生体センサ上に前記指入力を検出すると、
前記指入力が認証ユーザの指紋に一致する指紋を含むとの判断に応じて、前記不鮮明な前記第１の情報の表示を鮮明な前記第１の情報の表示に置き換え、
前記指入力が認証ユーザの指紋に一致する指紋を含まないとの判断に応じて、前記不鮮明な前記第１の情報の表示を維持することを備える、方法。
【請求項１１】
請求項８に記載の方法であって、前記生体センサは、前記ユーザの指が前記生体センサ上に置かれると、前記ユーザの指の特徴を検出する二次元指紋センサを含む、方法。
【請求項１２】
請求項８に記載の方法はさらに、前記認証に応じて、前記ユーザに対して制限された電子デバイスリソースへのアクセスを提供することを備える、方法。
【請求項１３】
請求項８に記載の方法はさらに、前記ユーザの認証に応じて、前記ユーザに対して前記ユーザに関連付けられているリソースへのアクセスを提供する個別の表示を提供することを備える、方法。
【請求項１４】
請求項８に記載の方法において、前記入力の受け取りは、前記電子デバイスをアンロッ
【請求項１５】
タッチスクリーンディスプレイと、生体センサが組み込まれているボタンとを備える電子デバイスにおいて実行されるプログラムであって、
前記タッチスクリーンディスプレイ上にロック画面を表示するための機能と、
前記生体センサが組み込まれている前記ボタンを用いたユーザからの入力を受け取るための機能と、
前記生体センサを用いて前記入力が受け取られると、前記ユーザの識別情報を検出するための機能と、
前記ボタンに組み込まれている前記生体センサを用いて検出された前記識別情報に基づいて前記ユーザを認証するための機能と、
前記ボタンに組み込まれている前記生体センサを用いて検出された前記識別情報に基づく前記ユーザの認証に応じて、前記タッチスクリーンディスプレイ上における前記ロック画面の表示をアンロックユーザインタフェースの表示に切り替えるための機能とを前記電子デバイスによって実現させる、プログラム。
【請求項１６】
請求項１５に記載のプログラムにおいて、前記アンロックユーザインタフェースは、異なるアプリケーションを起動するための複数のアプリケーションアイコンを含むアプリケーションラウンチユーザインタフェースである、プログラム。
【請求項１７】
請求項１５に記載のプログラムはさらに、前記ロック画面の表示をアンロックユーザインタフェースの表示に切り替えた後、
不鮮明な第１の情報を含む個別のユーザインタフェースを前記タッチスクリーンディスプレイ上に表示するための機能と、
前記不鮮明な第１の情報を前記タッチスクリーンディスプレイ上に表示している間に、前記生体センサ上に指入力を検出するための機能と、
前記生体センサ上に前記指入力を検出すると、
前記指入力が認証ユーザの指紋に一致する指紋を含むとの判断に応じて、前記不鮮明な前記第１の情報の表示を鮮明な前記第１の情報の表示に置き換えるための機能と、
前記指入力が認証ユーザの指紋に一致する指紋を含まないとの判断に応じて、前記不鮮明な前記第１の情報の表示を維持するための機能とを前記電子デバイスによって実現させる、プログラム。
【請求項１８】
請求項１５に記載のプログラムにおいて、前記生体センサは、前記ユーザの指が前記生体センサ上に置かれると、前記ユーザの指の特徴を検出する二次元指紋センサを含む、プログラム。
【請求項１９】
請求項１５に記載のプログラムはさらに、前記認証に応じて、前記ユーザに対して制限された電子デバイスリソースへのアクセスを提供するための機能を前記電子デバイスによって実現させる、プログラム。
【請求項２０】
請求項１５に記載のプログラムはさらに、前記ユーザの認証に応じて、前記ユーザに対して前記ユーザに関連付けられているリソースへのアクセスを提供する個別の表示を提供するための機能を前記電子デバイスによって実現させる、プログラム。
【請求項２１】
請求項１５に記載のプログラムにおいて、前記入力の受け取りは、前記電子デバイスをアンロックするための入力の受け取りを含む、プログラム。